(57)【特許請求の範囲】
【請求項１】
チケット発券装置とチケット検札装置とを備えるチケット真偽判定システムにおいて、
前記チケット発券装置は、
チケットに印刷された第１の画像であって、前記チケットごとに割り当てられる識別情報を含む第１の情報を暗号化した第１の画像から前記第１の情報を読み取る第１の読取部と、
前記第１の画像の印刷方法と異なる方法で、前記第１の読取部により読み取られた識別情報を含む第２の情報を暗号化した第２の画像を、前記第１の画像の一部または全部に重畳させて前記チケットに印刷する印刷部と、
を含み、
前記チケット検札装置は、
第１の波長の光を前記チケットに照射することにより、前記チケットに印刷された第１の画像から前記第１の情報を読み取るとともに、第２の波長の光を前記チケットに照射することにより、前記印刷部により前記チケットに印刷された第２の画像から前記第２の情報を読み取る第２の読取部と、
前記第２の読取部により読み取られた第１の情報および第２の情報に基づいて、前記チケットの真偽を判定する判定部と、
を含み、
前記チケット発券装置の前記第１の読取部は、更に、前記第２の波長の光を前記チケットに照射することにより、前記チケットに印刷された第２の画像から前記第２の情報を読み取り、
前記チケット発券装置の前記印刷部は、更に、前記第２の画像が前記チケットに印刷される際に用いられた前記第２の情報に含まれる前記識別情報と、前記第１の読取部により読み取られた前記第２の情報に含まれる前記識別情報とが一致しない場合、前記チケットに所定の画像を印刷する、
チケット真偽判定システム。
【請求項２】
前記第１の画像は、前記チケットに、可視領域外の波長の光を吸収する塗料で印刷され、
前記印刷部は、前記チケットに、可視領域の波長の光を吸収させる方法で前記第２の画像を印刷する、
請求項１記載のチケット真偽判定システム。
【請求項３】
前記チケットは、与えられる熱に応じて発色し、
前記第１の画像は、前記チケットに、可視領域外の波長の光を吸収するインクで印刷され、
前記印刷部は、前記第２の画像に応じて前記チケットを加熱することにより前記第２の画像を印刷する、
請求項１記載のチケット真偽判定システム。
【請求項４】
前記判定部は、前記第２の読取部により前記第１の情報が読み取られたか否かを判定するとともに、前記第２の読取部により前記第２の情報が読み取られたか否かを判定することで、前記チケットの真偽を判定する、
請求項１記載のチケット真偽判定システム。
【請求項５】
前記判定部は、前記第２の読取部により読み取られた第１の情報に含まれる識別情報と、前記第２の読取部により読み取られた第２の情報に含まれる識別情報とに基づいて、前記チケットの真偽を判定する、
請求項１記載のチケット真偽判定システム。
【請求項６】
前記判定部は、前記第２の読取部により読み取られた第１の情報に含まれる識別情報、および前記第２の読取部により読み取られた第２の情報に含まれる識別情報のうち一方または双方と、前記チケットごとに割り当てられた識別情報とに基づいて、前記チケットの真偽を判定する、
請求項１記載のチケット真偽判定システム。
【請求項７】
前記チケット検札装置は、更に、前記判定部によって前記チケットが真であると判定された場合、前記チケットに、前記第１の画像および前記第２の画像と異なる第３の画像を印刷する第２の印刷部を含む、
請求項１記載のチケット真偽判定システム。
【請求項８】
チケットに印刷された第１の画像であって、前記チケットごとに割り当てられる識別情報を含む第１の情報を暗号化した第１の画像から前記識別情報を読み取る第１の読取部と、
前記第１の読取部により読み取られた識別情報を含む第２の情報を暗号化した第２の画像を、前記第１の画像の一部または全部に重畳させて前記チケットに印刷する印刷部と、を備え、
前記第１の読取部は、更に、所定の波長の光を前記チケットに照射することにより、前記チケットに印刷された第２の画像から前記第２の情報を読み取り、
前記印刷部は、更に、前記第２の画像が前記チケットに印刷される際に用いられた前記第２の情報に含まれる前記識別情報と、前記第１の読取部により読み取られた前記第２の情報に含まれる前記識別情報とが一致しない場合、前記チケットに所定の画像を印刷する、
チケット発券装置。
【請求項９】
チケットごとに割り当てられる識別情報を含む第１の情報を暗号化した第１の画像と対応した第１の波長の光を前記チケットに照射することで、前記チケットに印刷された第１の画像から前記第１の情報を読み取るとともに、
前記識別情報を含む第２の情報を暗号化した第２の画像と対応した第２の波長の光を前記チケットに照射することで、前記チケットに印刷された第２の画像から前記第２の情報を読み取る第２の読取部と、
前記第２の読取部により読み取られた第１の情報および第２の情報に基づいて、前記チケットの真偽を判定する判定部と、
前記判定部によって前記チケットが真であると判定された場合、前記チケットに、前記第１の画像および前記第２の画像と異なる第３の画像を印刷する印刷部と、
を備えるチケット検札装置。
【請求項１０】
チケットに印刷された第１の画像であって、前記チケットごとに割り当てられる識別情報を含む第１の情報を暗号化した第１の画像から前記識別情報を読み取り、
前記第１の画像の印刷方法と異なる方法で、前記読み取った識別情報を含む第２の情報を暗号化した第２の画像を、前記第１の画像の一部または全部に重畳させて前記チケットに印刷し、
前記第１の画像と対応した第１の波長の光を、前記チケットに照射することで、前記チケットに印刷した第１の画像から前記第１の情報を読み取るとともに、前記第２の画像と対応した第２の波長の光を前記チケットに照射することで、前記チケットに印刷された第２の画像から前記第２の情報を読み取り、
前記読み取った第１の情報および第２の情報に基づいて、前記チケットの真偽を判定し、
前記第２の波長の光を前記チケットに照射することにより、前記チケットに印刷された第２の画像から前記第２の情報を読み取り、
前記第２の画像が前記チケットに印刷される際に用いられた前記第２の情報に含まれる前記識別情報と、前記チケットに印刷された第２の画像から読み取った前記第２の情報に含まれる前記識別情報とが一致しない場合、前記チケットに所定の画像を印刷する、
チケット真偽判定方法。
【発明の詳細な説明】
【技術分野】
【０００１】
本発明の実施形態は、チケット真偽判定システム、チケット発券装置、チケット検札装置、およびチケット真偽判定方法に関する。
【背景技術】
【０００２】
高速道路等の有料道路では、無線通信を利用したＥＴＣシステムが普及してきている。ＥＴＣシステムは、通常クレジット決済を前提としているが、現金での料金支払いを希望するユーザに対応するため、入口のＩＣで通行券を発行し出口のＩＣでその通行券に記載された情報に基づいて課金額を特定する、いわゆる通行券方式も併用されている。もし、通行券が偽造されると、有料道路の不正利用が可能となるため、通行券には偽造対策が必要になっている。
【０００３】
また、鉄道やバス等の交通機関において、運賃等の対価を支払ったことを証明するために乗車券等のチケットを発券する場合がある。このような場合、利用者がチケットを偽造したり不正に使用したりする恐れがあった。そのため、チケットの偽造行為や不正使用を防ぐために、チケットが本物か否かを判定する必要がある。しかしながら、従来の技術では、チケットの真偽の判定精度が悪く、チケットが本物か否かを判定することができない場合があった。
【先行技術文献】
【特許文献】
【０００４】
【特許文献１】特開２００６−２４４０９７号公報
【特許文献２】特開２００７−１６４７１５号公報
【発明の概要】
【発明が解決しようとする課題】
【０００５】
本発明が解決しようとする課題は、チケットの真偽の判定精度を向上させることができるチケット真偽判定システム、チケット発券装置、チケット検札装置、およびチケット真偽判定方法を提供することである。
【課題を解決するための手段】
【０００６】
実施形態のチケット真偽判定システムは、チケット発券装置とチケット検札装置とを持つ。チケット発券装置は、第１の読取部と、印刷部とを持つ。チケット検札装置は、第２の読取部と、判定部とを持つ。第１の読取部は、チケットに印刷された第１の画像であって、チケットごとに割り当てられる識別情報を含む第１の情報を暗号化した第１の画像から識別情報を読み取る。印刷部は、第１の画像の印刷方法と異なる方法で、第１の読取部により読み取られた識別情報を含む第２の情報を暗号化した第２の画像を、第１の画像の一部または全部に重畳させてチケットに印刷する。第２の読取部は、第１の画像と対応した第１の波長の光を、チケットに照射することで、チケットに印刷された第１の画像から第１の情報を読み取るとともに、第２の画像と対応した第２の波長の光をチケットに照射することで、印刷部によりチケットに印刷された第２の画像から第２の情報を読み取る。判定部は、第２の読取部により読み取られた第１の情報および第２の情報に基づいて、チケットの真偽を判定する。また、第１の読取部は、更に、第２の波長の光をチケットに照射することにより、チケットに印刷された第２の画像から第２の情報を読み取る。また、印刷部は、更に、第２の画像がチケットに印刷される際に用いられた第２の情報に含まれる識別情報と、第１の読取部により読み取られた第２の情報に含まれる識別情報とが一致しない場合、チケットに所定の画像を印刷する。
【図面の簡単な説明】
【０００７】
【図１】一実施形態におけるチケット真偽判定システム１の構成例を示す図。
【図２】一実施形態におけるチケットＴＫの断面の一例を示す図。
【図３】一実施形態におけるチケット発券装置１００の機能構成の一例を示す図。
【図４】一実施形態におけるチケット発券装置１００のハードウェア構成の一例を示す図。
【図５】所定の画像が印刷されたチケットＴＫの上面の一例を示す図。
【図６】所定の画像が印刷されたチケットＴＫの断面の一例を示す図。
【図７】チケットＴＫごとに第１の画像ＩＭＧ１を印刷する状況の一例を示す図。
【図８】一実施形態におけるチケット発券装置１００の印刷動作を詳細に説明するための図。
【図９】第１の画像ＩＭＧ１と第２の画像ＩＭＧ２とが重畳されて印刷されたチケットＴＫの断面の一例を示す図。
【図１０】一実施形態におけるチケット発券装置１００により行われる処理の一例を示すフローチャート。
【図１１】一実施形態におけるチケット検札装置２００の構成の一例を示す図。
【図１２】一実施形態におけるチケット検札装置２００のハードウェア構成の一例を示す図。
【図１３】読取部２１０の構成の一例を示す図。
【図１４】受光部２２０の構成の一例を示す図。
【図１５】受光部２２０の構成の他の例を示す図。
【図１６】一実施形態のチケット真偽判定システム１においてチケットＴＫに印刷される画像および文字の一例を示す図。
【図１７】判定部２８２の判定結果と真偽パターンとの対応関係の一例を示す図。
【図１８】識別情報の使用の有無に関するテーブルの一例を示す図。
【図１９】一実施形態におけるチケット検札装置２００により行われる処理の一例を示すフローチャート。
【発明を実施するための形態】
【０００８】
以下、実施形態のチケット真偽判定システム、チケット発券装置、チケット検札装置、およびチケット真偽判定方法を、図面を参照して説明する。
【０００９】
有料道路等で用いられる通行券には、目視できる情報の他に、磁気記憶等の方法で、利用開始区間となる入口のＩＣ名や時間等の利用情報を記憶する場合がある。昨今、当該利用情報の記憶方法として二次元コードの利用が検討されている。
【００１０】
図１は、一実施形態におけるチケット真偽判定システム１の構成例を示す図である。本実施形態におけるチケット真偽判定システム１は、高速道路等の有料道路を通行する際に必要となるチケット（通行券）ＴＫの真偽を判定するシステムである。なお、本実施形態では、チケット真偽判定システム１を高速道路等の有料道路を通行する際に必要となるチケット（通行券）の真偽を判定するシステムとして説明するがこれに限られない。例えば、チケット真偽判定システム１は、電車やバス等の交通機関が発券するチケット（乗車券）の真偽を判定するシステムであってもよいし、映画館や遊園地等の娯楽施設が発券するチケットの真偽を判定するシステムであってもよい。
【００１１】
図２は、一実施形態におけるチケットＴＫの断面の一例を示す図である。本実施形態では、チケットＴＫは、紙層１２と感熱層１４とで構成される感熱紙である。感熱層１４は、ロイコ染料１６と顕色剤１８とを結着剤に混合し紙層１２上に塗布することにより形成される。ロイコ染料１６と顕色剤１８との混合物は、常温（例えば２３℃程度）において無色である。この状態の混合物に加熱等により熱エネルギーを与えると、混合物は溶解する。これにより、チケットＴＫは、ロイコ染料１６と顕色剤１８とが接触することで化学反応を起こし発色する。
【００１２】
例えば、化学反応により発色した箇所は、可視領域の光の波長を吸収することにより感熱層を黒色に発色させる。また、化学反応により発色した箇所を含む感熱層１４は、近赤外、赤外、近紫外、紫外等の非可視領域の光の波長を吸収せず、照射された光を全て反射する。従って、人間の目や可視領域の光の反射光を受光するスキャナーの場合、本実施形態におけるチケットＴＫの感熱層１４に印刷された画像を認識することができる。一方、非可視領域の光（例えば赤外光）の反射光を受光するスキャナーの場合、本実施形態におけるチケットＴＫの感熱層１４に印刷された画像を認識することができない。なお、本実施形態では、チケットＴＫの感熱層１４を熱することによって黒色に発色させると説明したがこれに限られない。例えば、上述したロイコ染料１６の物質を適宜変更することで、青色、赤色等に発色させてもよい。
【００１３】
また、本実施形態におけるチケットＴＫの感熱層１４は、水分等を吸収しないコート層を形成している。これにより、本実施形態におけるチケットＴＫは、チケットＴＫの表面にインク等を定着（含侵）させることを困難にしている。
【００１４】
チケット真偽判定システム１は、チケット発券装置１００と、チケット検札装置２００とを備える。チケット発券装置１００は、例えば、有料道路の入口において車両の進行方向から見て右側に設けられる。チケット発券装置１００は、車両通行時に所定の料金を課すためのチケットＴＫを発券する。また、チケット検札装置２００は、例えば、有料道路の料金所（出口）において車両の進行方向から見て右側に設けられる。チケット検札装置２００は、チケット発券装置１００により発券されたチケットＴＫを回収し、チケットＴＫに応じた料金を車両から徴収する。以下、図面を参照してチケット発券装置１００およびチケット検札装置２００を説明する。先に、図３および図４を参照してチケット発券装置１００の説明をする。
【００１５】
図３は、一実施形態におけるチケット発券装置１００の機能構成の一例を示す図である。また、図４は、一実施形態におけるチケット発券装置１００のハードウェア構成の一例を示す図である。チケット発券装置１００は、通信部１０２と、車両検出部１０４と、読取部１０６と、印刷部１０８と、搬送部１１０と、制御部１３０と、記憶部１５０と、チケットスタッカー１６０と、排出口１７０と、回収部１８０とを備える。
【００１６】
通信部１０２は、他の装置とネットワークＮＷを介して通信を行う。ネットワークＮＷは、ＬＡＮ（Local Area Network）、ＷＡＮ（Wide Area Network）、インターネット等である。
【００１７】
車両検出部１０４は、例えば、車両を検出する光学センサである。車両検出部１０４は、車両を検出すると検出信号を生成する。また、車両検出部１０４は、車両のナンバープレートや車両の種類（車種）等を検出してもよい。
【００１８】
読取部１０６は、図示しない光源および撮像素子を備える。読取部１０６は、例えば、近赤外や赤外の光を発する光源と可視光を発する光源とを有する。光源は、例えば、ＬＥＤ（Light Emitting Diode）である。以下、近赤外や赤外の光を発する光源を、「第１光源」と称し、可視光を発する光源を、「第２光源」と称する。なお、読取部１０６は、「第１の読取部」の一例である。
【００１９】
また、撮像素子は、例えば、ＣＣＤ（Charge Coupled Device）イメージセンサ、ＣＭＯＳ（Complementary Metal Oxide Semiconductor）イメージセンサである。読取部１０６は、光源の光をチケットＴＫに照射して、チケットＴＫから反射される反射光を撮像素子に伝播させる。撮像素子は、伝搬された反射光を電気信号に変換してディジタル信号を生成する。読取部１０６は、生成したディジタル信号をエンコードし、画像データを生成する。これによって、読取部１０６は、チケットＴＫから画像を読み取る。
【００２０】
印刷部１０８は、感熱層を熱するための感熱ヘッド１０９を備える。感熱ヘッド１０９には、例えば、電流を流すと発熱する抵抗体が一列あるいはマトリクス状に配置される。印刷部１０８は、後述する印刷制御部１３８から出力される制御信号に応じて感熱ヘッド１０９の抵抗体に流す電流を制御する。これによって印刷部１０８は感熱ヘッド１０９を熱する。印刷部１０８は、熱した感熱ヘッド１０９を印刷の対象となるチケットＴＫの感熱層１４に押し当てることで画像を印刷する。また、印刷部１０８は、画像の代わりに文字ＣＨＡＲを印刷してもよい。
【００２１】
搬送部１１０は、送出ローラ１１２と、搬送路ベルト１１４と、第１のストッパー１１６と、第２のストッパー１１８と、搬送出口ローラ１２０とを備える。送出ローラ１１２および搬送出口ローラ１２０は、例えば２つのローラを有し、これらローラでチケットＴＫを挟持する。第１のストッパー１１６は、チケットスタッカー１６０と印刷部１０８との区間に設けられる。また、第１のストッパー１１６は、上下方向に回動する停止板を有する。上下方向とは、搬送路ベルト１１４の搬送面に対して略垂直方向のことを表す。第１のストッパー１１６は、例えば、停止板を下方向に回動させる場合、チケットスタッカー１６０と印刷部１０８との区間において搬送路ベルト１１４により行われるチケットＴＫの搬送を停止する。
【００２２】
第２のストッパー１１８は、読取部１０６と排出口１７０との区間に設けられる。また、第２のストッパー１１８は、上下方向に回動する停止板を有する。第２のストッパー１１８は、例えば、停止板を下方向に回動させる場合、読取部１０６と排出口１７０との区間において搬送路ベルト１１４により行われるチケットＴＫの搬送を停止する。以下、チケットＴＫの搬送を停止させる第１のストッパー１１６および第２のストッパー１１８の状態を、「閉状態」と称し、チケットＴＫの搬送を進行させる第１のストッパー１１６および第２のストッパー１１８の状態を、「開状態」と称する。また、送出ローラ１１２と、搬送路ベルト１１４と、第１のストッパー１１６と、第２のストッパー１１８と、搬送出口ローラ１２０とを、まとめて「搬送機構」と総称する。
【００２３】
搬送部１１０は、後述する搬送制御部１３６の制御信号により搬送機構を駆動する。具体的には、搬送部１１０は、所定の画像が予め印刷されたチケットＴＫが格納されるチケットスタッカー１６０からチケットＴＫを読取部１０６へ搬送するように搬送機構を駆動する。また、搬送部１１０は、読取部１０６から印刷部１０８へチケットＴＫを搬送するように搬送機構を駆動する。また、搬送部１１０は、印刷部１０８からチケットＴＫを排出するための排出口１７０へチケットＴＫを搬送するように搬送機構を駆動する。
【００２４】
ここで、図５および図６を参照して、チケットスタッカー１６０に格納されるチケットＴＫの説明を行う。図５は、所定の画像が印刷されたチケットＴＫの上面の一例を示す図である。また、図６は、所定の画像が印刷されたチケットＴＫの断面の一例を示す図である。
【００２５】
チケットＴＫの表面（感熱層１４）には、特定のインクを紫外線等により硬化させるＵＶ（Ultraviolet）印刷の手法により、所定の画像が印刷される。特定のインクとは、赤外や紫外等の特定の波長の光を吸収するインクである。本実施形態では、特定のインクを、近赤外の波長の光を吸収するインクとして説明する。例えば、太陽光や照明の光等の可視光が照射される環境において、近赤外の波長の光を吸収するインクの場合、可視領域の波長の光はインクに吸収されずに透過し、チケットＴＫの感熱層１４に照射される。すなわち、インク下に印刷された文字や画像を読み取ることができる。
【００２６】
また、上述した所定の画像は、例えば、チケットＴＫごとに割り当てられる識別情報（例えば元券番号）が暗号化された二次元コードである。暗号化とは、例えば、公開鍵暗号技術に基づくものである。暗号化を行う者は、予め公開キーおよび秘密キーのペアになる鍵を１組作成し、作成した鍵のうち秘密キーを用いて識別情報を所定の画像に暗号化しておく。
【００２７】
すなわち、上述したことを総括すると、チケットＴＫの表面（感熱層１４）には、識別情報が暗号化された所定の画像が人間の目では見ることができない画像として印刷されることになる。以下、チケットＴＫの表面（感熱層１４）に印刷される所定の画像を、「第１の画像ＩＭＧ１」と称する。また、識別情報を第１の画像ＩＭＧ１に暗号化する際に用いた公開キーおよび秘密キーを、それぞれ「第１の公開キー」および「第１の秘密キー」と称する。なお、第１の画像ＩＭＧ１には、識別情報とともに道路情報が含まれていてもよい。道路情報は、例えば、国が管理する道路網に割り当てられる道路番号（例えば国道ＸＸ）や、この道路番号に付けられる名称等である。以下、少なくとも識別情報が含まれる情報を、「第１の情報」と称する。
【００２８】
また、本実施形態におけるチケットＴＫは、画像を印刷する領域と、文字を印刷する領域とを有する。この結果、一つのチケットＴＫの表面上でこれら領域を分割することで、後述する画像の読み取りが正確に行われる。
【００２９】
図７は、チケットＴＫごとに第１の画像ＩＭＧ１を印刷する状況の一例を示す図である。チケットＴＫは、例えば、大判の感熱ロール紙Ｒｏｌｌから所定の寸法に切り出される。切り出されたチケットＴＫには、一枚一枚異なる識別情報が割り振られる。割り振られた各識別情報は、第１の画像ＩＭＧ１（例えば二次元コード）に暗号化される。これによって、切り出されたチケットＴＫには、暗号化された第１の画像ＩＭＧ１が印刷される。この結果、各チケットＴＫの識別は、印刷された第１の画像ＩＭＧ１を読み取って解析することにより行うことができる。なお、チケットＴＫを大判の感熱ロール紙Ｒｏｌｌから所定の寸法に切り出す前に、当該チケットＴＫの切り出し予定の箇所に予め所定のパターンの第１の画像ＩＭＧ１を印刷しておいてもよい。所定のパターンとは、一枚の感熱ロール紙Ｒｏｌｌから切り出されるチケットＴＫの識別情報（第１の画像ＩＭＧ１）が重複しないパターンである。すなわち、本実施形態では、感熱ロール紙Ｒｏｌｌの大きさを決める型紙ごとに所定のパターンで第１の画像ＩＭＧ１を印刷して、同一の第１の画像ＩＭＧ１を有するチケットＴＫを、所定の確率（型紙の中のチケットＴＫの重複率）で重複させてもよい。
【００３０】
ここで、図３および図４に戻り、チケット発券装置１００の説明を行う。
制御部１３０は、復号部１３２と、暗号部１３４と、搬送制御部１３６と、印刷制御部１３８と、通信制御部１４０と、判定部１４２とを備える。制御部１３０の機能部のうち一部または全部は、ＣＰＵ（Central Processing Unit）等のプロセッサが記憶部１５０に記憶されたプログラムを実行することにより機能するソフトウェア機能部である。また、制御部１３０の機能部のうち一部または全部は、ＬＳＩ（Large Scale Integration）、ＡＳＩＣ（Application Specific Integrated Circuit）等のハードウェア機能部であってもよい。
【００３１】
復号部１３２は、第１の公開キーを用いて読取部１０６により生成された画像データから第１の情報を復号する。なお、第１の公開キーは、後述する記憶部１５０に記憶されている。
【００３２】
暗号部１３４は、復号部１３２により復号された第１の情報と付加情報との双方を含む情報を、第１の公開キーおよび第１の秘密キーの暗号鍵のペアと異なる暗号鍵のペアを用いて、上述した第１の画像ＩＭＧ１とは異なる画像（以下、「第２の画像ＩＭＧ２」と称する）に暗号化する。付加情報とは、車両のナンバープレート、車両の種類（車種）、チケットを発券する日時、料金所の識別情報、車両が走行するレーンの識別情報、自装置に割り当てられる識別情報等を含む。付加情報のうち、車両のナンバープレート、車両の種類（車種）、チケットを発券する日時は、車両検出部１０４により車両が検出される度に生成される。以下、第１の情報と付加情報との双方を含む情報を、「第２の情報」と称する。また、第１の公開キーおよび第１の秘密キーの暗号鍵のペアと異なる暗号鍵のペアを、「第２の公開キー」および「第２の秘密キー」と称する。なお、暗号部１３４は、復号部１３２により復号された第１の情報から識別情報のみを抽出し、抽出した識別情報と付加情報との双方を含む情報を、第２の秘密キーを用いて第２の画像ＩＭＧ２に暗号化してもよい。
【００３３】
搬送制御部１３６は、搬送部１１０を制御するための制御信号を生成する。搬送制御部１３６は、生成した制御信号を搬送部１１０に出力することにより、搬送部１１０を制御する。
【００３４】
印刷制御部１３８は、暗号部１３４により暗号化された第２の画像ＩＭＧ２を印刷部１０８に印刷させるための制御信号を生成する。印刷制御部１３８は、生成した制御信号を印刷部１０８に出力することにより、印刷部１０８を制御する。
【００３５】
通信制御部１４０は、通信部１０２を制御するための制御信号を生成する。通信制御部１４０は、生成した制御信号を通信部１０２に出力することにより、通信部１０２を制御する。
【００３６】
判定部１４２は、読取部１０６により各種画像の読み取りが行われたか否かを判定する。また、判定部１４２は、復号部１３２により情報が復号されたか否かを判定する。また、判定部１４２は、車両検出部１０４により生成された検出信号に基づいて、車両の有無を判定する。
【００３７】
記憶部１５０は、ＲＯＭ（Read Only Memory）、フラッシュメモリ、ＨＤＤ（Hard Disk Drive）等の不揮発性の記憶媒体（非一時的な記憶媒体）と、ＲＡＭ（Random Access Memory）、レジスタ等の揮発性の記憶媒体とを有する。記憶部１５０は、第１の公開キー、第２の秘密キー、第２の公開キー、付加情報、抽出した識別情報、第１の情報、第２の情報、画像データ、検出信号等を記憶する。
【００３８】
ここで、図４を参照して、搬送制御部１３６および印刷制御部１３８の動作をメインにチケット発券装置１００の全体の動作について具体的に説明する。まず、チケット発券装置１００は、以下の動作を車両が検出される前に予め行う。
【００３９】
搬送制御部１３６は、チケットスタッカー１６０からチケットＴＫを取り出すように、搬送部１１０の搬送機構における送出ローラ１１２を駆動させる制御信号を生成し、生成した制御信号を搬送部１１０に出力する。これにより、チケットＴＫは、チケットスタッカー１６０から搬送路ベルト１１４（位置Ｇ０１）に送り出される。
【００４０】
次に、搬送制御部１３６は、チケットスタッカー１６０から取り出したチケットＴＫを位置Ｇ０２に搬送するように搬送路ベルト１１４を駆動させる制御信号を生成し、生成した制御信号を搬送部１１０に出力する。位置Ｇ０２は、読取部１０６がチケットＴＫから画像を読み取ることが可能な位置である。また、搬送制御部１３６は、第１のストッパー１１６を開状態にさせる制御信号と、第２のストッパー１１８を閉状態にさせる制御信号とを生成し、生成した双方の制御信号を搬送部１１０に出力する。
【００４１】
読取部１０６は、位置Ｇ０２に搬送されたチケットＴＫに対して、第１の光源から光を照射して第１の画像ＩＭＧ１を読み取る。読取部１０６により読み取られたチケットＴＫは、第２のストッパー１１８（位置Ｇ０３）において停止する。
【００４２】
次に、搬送制御部１３６は、第２のストッパー１１８（位置Ｇ０３）において停止したチケットＴＫを位置Ｇ０４に搬送するように搬送路ベルト１１４を上述した駆動方向（図中左方向）の反対方向（図中右方向）に駆動させる制御信号を生成し、生成した制御信号を搬送部１１０に出力する。位置Ｇ０４は、チケットＴＫにおける文字の印刷領域に対して、印刷部１０８の感熱ヘッド１０９が接触可能な位置である。以下、排出口側に搬送路ベルト１１４を駆動する方向を、「下流側」と称し、チケットスタッカー１６０側に搬送路ベルト１１４を駆動する方向を、「上流側」と称する。
【００４３】
印刷制御部１３８は、位置Ｇ０４に搬送されたチケットＴＫに対して付加情報を文字ＣＨＡＲとして印刷するため、感熱ヘッド１０９に印加する電流を制御する制御信号を生成し、生成した制御信号を印刷部１０８に出力する。これにより、印刷部１０８は、チケットＴＫにおける文字の印刷領域に、付加情報を文字ＣＨＡＲとして印刷する。
【００４４】
次に、搬送制御部１３６は、第１のストッパー１１６を閉状態にさせる制御信号を生成し、生成した制御信号を搬送部１１０に出力する。これにより、搬送制御部１３６は、印刷部１０８により文字ＣＨＡＲが印刷されたチケットＴＫを、第１のストッパー１１６（位置Ｇ０５）において停止させる。これ以降、チケット発券装置１００は、車両検出部１０４により車両が検出されるまで、位置Ｇ０５にチケットＴＫを待機させておく。
【００４５】
チケット発券装置１００は、車両検出部１０４により車両が検出された場合、以下の動作を行う。
まず、搬送制御部１３６は、位置Ｇ０５に搬送したチケットＴＫを位置Ｇ０６に搬送するように搬送路ベルト１１４を下流側に駆動させる制御信号を生成し、生成した制御信号を搬送部１１０に出力する。位置Ｇ０６は、チケットＴＫにおける画像の印刷領域と文字の印刷領域との両領域に対して、印刷部１０８の感熱ヘッド１０９が接触可能な位置である。これにより、搬送部１１０は、位置Ｇ０５に搬送したチケットＴＫを位置Ｇ０６に搬送する。
【００４６】
印刷制御部１３８は、位置Ｇ０６に搬送されたチケットＴＫに対して第２の画像ＩＭＧ２を印刷するために、感熱ヘッド１０９に印加する電流を制御する制御信号を生成し、生成した制御信号を印刷部１０８に出力する。これにより、印刷部１０８は、チケットＴＫにおける画像の印刷領域に第２の画像ＩＭＧ２を印刷する。また、印刷制御部１３８は、読取部１０６により読み取られた第１の画像ＩＭＧ１の一部に対して、第２の画像ＩＭＧ２を重畳させて印刷するための制御信号を生成する。なお、印刷制御部１３８は、読取部１０６により読み取られた第１の画像ＩＭＧ１の全部に対して、第２の画像ＩＭＧ２を重畳させて印刷するための制御信号を生成してもよい。これにより、印刷部１０８は、印刷制御部１３８により生成された制御信号に基づいて、第１の画像ＩＭＧ１の一部または全部に第２の画像ＩＭＧ２を重畳させて印刷する。
【００４７】
また、チケット発券装置１００は、位置Ｇ０６に搬送されたチケットＴＫに対して、車両が検出されたことで生成される車種やナンバープレート等の付加情報をさらに印刷してもよい。この場合、印刷制御部１３８は、位置Ｇ０６に搬送されたチケットＴＫに対して上述した車種やナンバープレート等の付加情報を文字ＣＨＡＲとして印刷するために、感熱ヘッド１０９に印加する電流を制御する制御信号を生成し、生成した制御信号を印刷部１０８に出力する。これにより、印刷部１０８は、チケットＴＫにおける文字の印刷領域に、車種やナンバープレート等の付加情報を新たに印刷する。
【００４８】
次に、搬送制御部１３６は、位置Ｇ０６に搬送したチケットＴＫを位置Ｇ０２に再度搬送するように搬送路ベルト１１４を下流側に駆動させる制御信号を生成し、生成した制御信号を搬送部１１０に出力する。これにより、搬送部１１０は、位置Ｇ０６に搬送したチケットＴＫを位置Ｇ０２に再度搬送する。
【００４９】
読取部１０６は、再度位置Ｇ０２に搬送されたチケットＴＫに対して、第２の光源から光を照射して、位置Ｇ０６にて印刷された第２の画像ＩＭＧ２を読み取る。復号部１３２は、第２の公開キー或いは第２の秘密キーを用いて読取部１０６により生成された第２の画像ＩＭＧ２の画像データから第２の情報を復号する。判定部１４２は、第２の画像ＩＭＧ２の印刷時に用いた第２の情報と、印刷した第２の画像ＩＭＧ２の画像データから復号した第２の情報とが一致するか否かを判定する。すなわち、判定部１４２は、第２の画像ＩＭＧ２が正常に印刷されたか否かを判定する。なお、判定部１４２は、読取部１０６により第２の画像ＩＭＧ２が読み取られた否かを判定することで、第２の画像ＩＭＧ２が正常に印刷されたか否かを判定してもよい。
【００５０】
チケット発券装置１００は、第２の画像ＩＭＧ２が正常に印刷できた場合、当該チケットＴＫを排出口１７０から発券する。チケット発券装置１００は、具体的には、以下の動作を行う。
【００５１】
搬送制御部１３６は、判定部１４２により第２の画像ＩＭＧ２が正常に印刷されたと判定された場合、位置Ｇ０２に２度搬送されたチケットＴＫを排出口１７０（位置Ｇ０７）に搬送するように搬送路ベルト１１４を下流側に駆動させる制御信号を生成し、生成した制御信号を搬送部１１０に出力する。また、搬送制御部１３６は、第２のストッパー１１８を開状態にさせる制御信号を生成し、生成した制御信号を搬送部１１０に出力する。これにより、チケットＴＫは、排出口１７０に搬送される。この結果、運転者は、チケットＴＫを受け取ることができる。
【００５２】
一方、チケット発券装置１００は、第２の画像ＩＭＧ２が正常に印刷できなかった場合、印刷した第２の画像ＩＭＧ２の位置に、当該チケットＴＫの使用を不可にさせる画像（以下、「回収マークＭ」と称する）を印刷する。この場合、チケット発券装置１００は、具体的には、以下の動作を行う。
【００５３】
搬送制御部１３６は、判定部１４２により第２の画像ＩＭＧ２が正常に印刷されていないと判定された場合、位置Ｇ０２に搬送したチケットＴＫを位置Ｇ０６に再度搬送するように搬送路ベルト１１４を上流側に駆動させる制御信号を生成し、生成した制御信号を搬送部１１０に出力する。これにより、搬送部１１０は、位置Ｇ０２に搬送したチケットＴＫを位置Ｇ０６に再度搬送する。
【００５４】
印刷制御部１３８は、再度位置Ｇ０６に搬送されたチケットＴＫに対して第２の画像ＩＭＧ２が印刷された位置に回収マークＭを印刷するために、感熱ヘッド１０９に印加する電流を制御する制御信号を生成し、生成した制御信号を印刷部１０８に出力する。これにより、印刷部１０８は、第２の画像ＩＭＧ２の印刷位置に回収マークＭを印刷する。
【００５５】
搬送制御部１３６は、位置Ｇ０６に２度搬送したチケットＴＫを回収部１８０（位置Ｇ０８）に搬送するように搬送路ベルト１１４を上流側に駆動させる制御信号を生成し、生成した制御信号を搬送部１１０に出力する。これにより、チケットＴＫは、回収部１８０に搬送され回収される。
【００５６】
なお、チケット発券装置１００は、運転者によりチケットＴＫが受け取られていない場合、印刷した第２の画像ＩＭＧ２の位置に、回収マークＭを印刷してもよい。チケットＴＫの受け取りの有無は、例えば、搬送出口ローラ１２０のローラにチケットＴＫが挟持されているか否かによって判定される。
【００５７】
判定部１４２は、チケットＴＫが発券されてから所定時間経過後に、搬送出口ローラ１２０のローラにチケットＴＫが挟持されている場合、チケットＴＫの受け取りが無かったと判定する。また、判定部１４２は、車両検出部１０４により次の車両が検出された後に、搬送出口ローラ１２０のローラにチケットＴＫが挟持されている場合、チケットＴＫの受け取りが無かったと判定してもよい。以上のチケットＴＫの回収動作によって、チケット発券装置１００は、運転者によってチケットＴＫの取り忘れが生じた場合でも、正常にチケットＴＫの発券処理を行うことができる。
【００５８】
図８は、一実施形態におけるチケット発券装置１００の印刷動作を詳細に説明するための図である。
読取部１０６は、チケットＴＫに印刷された第１の画像ＩＭＧ１を読み取り、読み取った第１の画像ＩＭＧ１の画像データを復号部１３２に出力する。復号部１３２は、予め記憶部１５０に記憶させておいた第１の公開キーを用いて、読取部１０６から出力された画像データから第１の情報を復号する。図示の例では、第１の情報には、識別情報の一例である「元券５１００１」と、道路情報の一例である「○○高速道路通行」との情報が含まれる。
【００５９】
暗号部１３４は、復号部１３２により復号された第１の情報に対して、記憶部１５０に記憶された付加情報を加えて第２の情報を生成する。暗号部１３４は、生成した第２の情報を、予め記憶部１５０に記憶させておいた第２の秘密キーを用いて第２の画像ＩＭＧ２に暗号化する。
【００６０】
印刷制御部１３８は、暗号部１３４により暗号化された第２の画像ＩＭＧ２を印刷部１０８に印刷させるための制御信号を生成する。印刷制御部１３８は、生成した制御信号を印刷部１０８に出力する。この結果、印刷部１０８は、制御信号に応じた電流を感熱ヘッド１０９の抵抗体に印加し、感熱ヘッド１０９を熱する。印刷部１０８は、感熱層１４における第１の画像ＩＭＧ１が印刷された部分に、熱した感熱ヘッド１０９を押し当てることで第２の画像ＩＭＧ２を印刷する。
【００６１】
図９は、第１の画像ＩＭＧ１と第２の画像ＩＭＧ２とが重畳されて印刷されたチケットＴＫの断面の一例を示す図である。図示の例において、感熱層１４の表面には、近赤外の波長の光を吸収するインクによって第１の画像ＩＭＧ１が形成される。また、感熱層１４は、感熱ヘッド１０９が押し当てられた箇所が熱により変色し、第２の画像ＩＭＧ２を形成する。
【００６２】
図１０は、一実施形態におけるチケット発券装置１００により行われる処理の一例を示すフローチャートである。チケット発券装置１００は、例えば、車両を検出する度に本フローチャートの処理を行う。
まず、読取部１０６は、チケットＴＫに対して第１の光源から光を照射して第１の画像ＩＭＧ１を読み取る（ステップＳ１００）。次に、読取部１０６は、読み取った第１の画像ＩＭＧ１の画像データを生成する（ステップＳ１０２）。次に、復号部１３２は、第１の公開キーを用いて読取部１０６により生成された第１の画像ＩＭＧ１の画像データから、第１の情報を復号する（ステップＳ１０４）。次に、判定部１４２は、車両検出部１０４により車両が検出されたか否かを判定する（ステップＳ１０６）。
【００６３】
チケット発券装置１００は、車両検出部１０４により車両が検出されない場合（ステップＳ１０６；Ｎｏ）、車両検出部１０４により車両が検出されるまで待機する。暗号部１３４は、車両検出部１０４により車両が検出された場合（ステップＳ１０６；Ｙｅｓ）、記憶部１５０から付加情報と第２の秘密キーとを取得する（ステップＳ１０８）。暗号部１３４は、復号部１３２により復号された取得した第１の情報に、取得した付加情報を追加して第２の情報を生成する（ステップＳ１１０）。暗号部１３４は、生成した第２の情報を、取得した第２の秘密キーを用いて第２の画像ＩＭＧ２に暗号化する（ステップＳ１１２）。
【００６４】
印刷制御部１３８は、暗号部１３４により暗号化された第２の画像ＩＭＧ２を印刷部１０８に印刷させるための制御信号を生成し、生成した制御信号を印刷部１０８に出力することにより、印刷部１０８に第２の画像ＩＭＧ２を印刷させる（ステップＳ１１４）。
【００６５】
チケット発券装置１００は、チケットＴＫに印刷した第２の画像ＩＭＧ２を読み取り、読み取った第２の画像ＩＭＧ２の画像データから第２の情報を復号する（ステップＳ１１６）。判定部１４２は、第２の画像ＩＭＧ２の印刷時に用いた第２の情報と、印刷した第２の画像ＩＭＧ２の画像データから復号した第２の情報とが一致するか否かを判定する。すなわち、判定部１４２は、第２の画像ＩＭＧ２の印刷が成功したか否かを判定する（ステップＳ１１８）。
【００６６】
チケット発券装置１００は、第２の画像ＩＭＧ２の印刷が成功した場合（ステップＳ１１８；Ｙｅｓ）、第２の画像ＩＭＧ２が印刷されたチケットＴＫを発券する（ステップＳ１２０）。これにより、チケット発券装置１００は、本フローチャートの処理を終了する。
【００６７】
チケット発券装置１００は、第２の画像ＩＭＧ２の印刷が成功しない場合（ステップＳ１１８；Ｎｏ）、第２の画像ＩＭＧ２が印刷されたチケットＴＫに回収マークＭを印刷する（ステップＳ１２２）。次に、チケット発券装置１００は、回収マークＭを印刷したチケットＴＫを回収部１８０に搬送して回収する（ステップＳ１２４）。これにより、チケット発券装置１００は、ステップＳ１００の処理に戻る。
【００６８】
以下、図１１および図１２を参照してチケット検札装置２００の説明をする。
図１１は、一実施形態におけるチケット検札装置２００の構成の一例を示す図である。また、図１２は、一実施形態におけるチケット検札装置２００のハードウェア構成の一例を示す図である。チケット検札装置２００は、通信部２０２と、車両検出部２０４と、読取部２１０と、印刷部２４０と、搬送部２５０と、制御部２７０と、記憶部２９０と、挿入口２９４と、回収部２９６とを備える。
【００６９】
通信部２０２は、他の装置とネットワークＮＷを介して通信を行う。ネットワークＮＷは、ＬＡＮ（Local Area Network）、ＷＡＮ（Wide Area Network）、インターネット等である。
【００７０】
車両検出部２０４は、例えば、車両を検出する光学センサである。車両検出部２０４は、車両を検出すると検出信号を生成する。また、車両検出部２０４は、車両のナンバープレートや車両の種類（車種）等を検出してもよい。
【００７１】
ここで、新たに図１３ないし図１５を参照して読取部２１０の構成について説明する。図１３は、読取部２１０の構成の一例を示す図である。また、図１４は、受光部２２０の構成の一例を示す図である。また、図１５は、受光部２２０の構成の他の例を示す図である。
【００７２】
読取部２１０は、チケットＴＫに印刷される画像を読み取る。読取部２１０は、第１光源２１２と、第２光源２１４と、受光部２２０と、増幅部２３０と、ＡＤ／ＤＡ変換部２３２と、エンコード部２３４とを備える。第１光源２１２は、例えば、近赤外光ＩＲを発するＬＥＤである。第２光源２１４は、例えば、白色光等の可視光ＶＩを発するＬＥＤである。なお、読取部２１０は、「第２の読取部」の一例である。
【００７３】
受光部２２０は、上述した第１光源２１２および第２光源２１４から照射される光の反射光を分光して受光する。図１４の例では、受光部２２０は、例えば、レンズ２２１と、プリズム２２２と、近赤外光透過フィルタ２２３と、近赤外光受光素子２２４と、可視光透過フィルタ２２５と、可視光受光素子２２６とを備える。近赤外光受光素子２２４および例えば可視光受光素子２２６は、例えば、ＣＣＤイメージセンサ、ＣＭＯＳ（イメージセンサ等である。
【００７４】
第１光源２１２から照射される近赤外光ＩＲの反射光と、第２光源２１４から照射される可視光ＶＩの反射光とは、各光の波長の違いからプリズム２２２によって分光される。プリズム２２２によって分光された光のうち、近赤外光ＩＲを主成分とする光は、近赤外光透過フィルタ２２３を透過する。これにより、近赤外光受光素子２２４は、近赤外光透過フィルタ２２３を透過した光のうち、近赤外光ＩＲのみを受光する。
【００７５】
一方、プリズム２２２によって分光された光のうち、可視光ＶＩを主成分とする光は、可視光透過フィルタ２２５を透過する。これにより、可視光受光素子２２６は、可視光透過フィルタ２２５を透過した光のうち、可視光ＶＩのみを受光する。なお、この際、上述した第１光源２１２および第２光源２１４から照射される光の反射光に、他の光（例えば太陽光や部屋の照明等）が混合した場合でも、プリズム２２２と各透過フィルタとにより、近赤外光ＩＲと可視光ＶＩとをそれぞれ受光することができる。
【００７６】
また、上述した受光部２２０は、図１５に示す構成であってもよい。
図１５の例では、受光部２２０は、例えば、レンズ２２１と、近赤外光受光素子２２４と、可視光受光素子２２６とを備える。この構成では、受光部２２０は、近赤外光ＩＲと可視光ＶＩとの焦点距離の違いにより分光を行う。例えば、近赤外光ＩＲは、可視光ＶＩに比べて波長が長いため、レンズ２２１透過後の焦点距離は、可視光ＶＩに比べて遠くなる。一方、可視光ＶＩは、レンズ２２１透過後の焦点距離が近赤外光ＩＲに比べて近くなる。可視光ＶＩを受光する時には、可視光受光素子２２６は、図示のとおり、レンズ２２１と近赤外光受光素子２２４の間に置かれる。近赤外光を受光する場合は、可視光受光素子２２６は、図示しない制御機構により、レンズ２２１と近赤外光受光素子２２４を結ぶ光軸上から退避し、近赤外光ＩＲの光軸を遮蔽することはない。
【００７７】
また、別種の方法としては可視光受光素子２２６を退避させる代わりに、近赤外光受光素子２２４の位置へ移動させることにより、同一の受光素子で位置を変える事により、受光する光に適した素子として機能させることも出来る。これら異なる焦点距離に、各光の受光素子を配置することで、図１４の構成と同様な効果が得られる。
【００７８】
ここで、図１３ないし図１５を参照して読取部２１０の構成の説明に戻る。
増幅部２３０は、受光部２２０により受光された光の信号（アナログ信号）を増幅する。なお、増幅部２３０は、増幅とともにノイズの除去を行ってもよい。
【００７９】
ＡＤ／ＤＡ変換部２３２は、増幅部２３０により増幅された光の信号（アナログ信号）をディジタル信号に変換する。
【００８０】
エンコード部２３４は、ＡＤ／ＤＡ変換部２３２によりディジタル信号に変換された光の信号から、２次元の画像データを生成する。例えば、エンコード部２３４は、近赤外光ＩＲの信号と可視光ＶＩの信号とからそれぞれ画像データを生成する。これにより、読取部２１０は、読み取ったチケットＴＫの画像の画像データを生成することができる。
【００８１】
印刷部２４０は、感熱層を熱するための感熱ヘッド２４２を備える。感熱ヘッド２４２には、例えば、電流を流すと発熱する抵抗体が一列あるいはマトリクス状に配置される。印刷部２４０は、後述する印刷制御部２７６から出力される制御信号に応じて感熱ヘッド２４２の抵抗体に流す電流を制御する。これによって印刷部２４０は感熱ヘッド２４２を熱する。印刷部２４０は、熱した感熱ヘッド２４２を印刷の対象となるチケットＴＫの感熱層１４に押し当てることで画像を印刷する。また、印刷部２４０は、画像の代わりに文字ＣＨＡＲを印刷してもよい。
【００８２】
搬送部２５０は、搬送出口ローラ２５２と、搬送路ベルト２５４と、ストッパー２５６とを備える。搬送出口ローラ２５２は、例えば２つのローラを有し、これらローラでチケットＴＫを挟持する。ストッパー２５６は、搬送路ベルト２５４上において印刷部２４０と回収部２９６との区間に設けられる。また、ストッパー２５６は、上下方向に回動する停止板を有する。上下方向とは、搬送路ベルト２５４の搬送面に対して略垂直方向のことを表す。ストッパー２５６は、例えば、停止板を下方向に回動させる場合、印刷部２４０と回収部２９６との区間において搬送路ベルト２５４により行われるチケットＴＫの搬送を停止する。以下、チケットＴＫの搬送を停止させるストッパー２５６の状態を、「閉状態」と称し、チケットＴＫの搬送を進行させるストッパー２５６の状態を、「開状態」と称する。また、搬送出口ローラ２５２と、搬送路ベルト２５４と、ストッパー２５６とを、まとめて「搬送機構」と総称する。
【００８３】
搬送部２５０は、後述する搬送制御部２７４の制御信号により搬送機構を駆動する。具体的には、搬送部２５０は、挿入口２９４に挿入されたチケットＴＫを読取部２１０へ搬送するように搬送機構を駆動する。また、搬送部２５０は、読取部２１０から印刷部２４０へチケットＴＫを搬送するように搬送機構を駆動する。また、搬送部２５０は、印刷部２４０からチケットＴＫを回収するための回収部２９６へチケットＴＫを搬送するように搬送機構を駆動する。
【００８４】
制御部２７０は、復号部２７２と、搬送制御部２７４と、印刷制御部２７６と、通信制御部２７８と、光源切替部２８０と、判定部２８２とを備える。制御部２７０の機能部のうち一部または全部は、ＣＰＵ等のプロセッサが記憶部２９０に記憶されたプログラムを実行することにより機能するソフトウェア機能部である。また、制御部２７０の機能部のうち一部または全部は、ＬＳＩ、ＡＳＩＣ等のハードウェア機能部であってもよい。
【００８５】
復号部２７２は、上述した第１の公開キーおよび第２の公開キーを用いて読取部２１０により生成された画像データから種々の情報を復号する。なお、第１の公開キーおよび第２の公開キーは、予め記憶部２９０に記憶されている。
【００８６】
搬送制御部２７４は、搬送部２５０を制御するための制御信号を生成する。搬送制御部２７４は、生成した制御信号を搬送部２５０に出力することにより、搬送部２５０を制御する。
【００８７】
印刷制御部２７６は、印刷部２４０を制御するための制御信号を生成する。印刷制御部２７６は、生成した制御信号を印刷部２４０に出力することにより、印刷部２４０を制御する。
【００８８】
通信制御部２７８は、通信部２０２を制御するための制御信号を生成する。通信制御部２７８は、生成した制御信号を通信部２０２に出力することにより、通信部２０２を制御する。
【００８９】
光源切替部２８０は、チケットＴＫに照射する光源を第１光源２１２または第２光源２１４のいずれか一方に切り替える。また、光源切替部２８０は、切り替えた光源と、エンコード部２３４により生成された画像データを対応付ける。
【００９０】
判定部２８２は、読取部２１０により各種画像の読み取りが行われたか否かを判定する。また、判定部２８２は、復号部２７２により情報が復号されたか否かを判定する。また、判定部２８２は、復号部２７２により第１の画像ＩＭＧ１から復号された第１の情報に含まれる識別情報と、第２の画像ＩＭＧ２から復号された第２の情報に含まれる識別情報とが一致するか否かを判定する。
【００９１】
記憶部２９０は、ＲＯＭ、フラッシュメモリ、ＨＤＤ等の不揮発性の記憶媒体（非一時的な記憶媒体）と、ＲＡＭ、レジスタ等の揮発性の記憶媒体とを有する。記憶部２９０は、第１の公開キー、第２の公開キー、付加情報、抽出した識別情報、第１の情報、第２の情報、画像データ、検出信号、識別情報の使用の有無を示す情報等を記憶する。
【００９２】
ここで、図１２を参照して、搬送制御部２７４および印刷制御部２７６の動作をメインにチケット検札装置２００の全体の動作について具体的に説明する。
【００９３】
搬送制御部２７４は、挿入口２９４（位置Ｇ１１）に挿入されたチケットＴＫを搬送路ベルト２５４上の位置Ｇ１２に搬送するように搬送路ベルト２５４を駆動させる制御信号を生成し、生成した制御信号を搬送部２５０に出力する。位置Ｇ１２は、読取部２１０がチケットＴＫから画像を読み取ることが可能な位置である。これにより、搬送部２５０は、挿入口２９４（位置Ｇ１１）に挿入されたチケットＴＫを搬送路ベルト２５４上の位置Ｇ１２に搬送する。
【００９４】
読取部２１０は、位置Ｇ１２のチケットＴＫに対して、近赤外光ＩＲと可視光ＶＩとを照射して、第１の画像ＩＭＧ１と第２の画像ＩＭＧ２とを読み取る。読取部２１０は、読み取った第１の画像ＩＭＧ１と第２の画像ＩＭＧ２とのそれぞれの画像データを生成する。
【００９５】
復号部２７２は、第１の公開キーを用いて読取部２１０により生成された第１の画像ＩＭＧ１の画像データから第１の情報を復号する。また、復号部２７２は、第２の公開キーを用いて読取部２１０により生成された第２の画像ＩＭＧ２の画像データから第２の情報を復号する。
【００９６】
判定部２８２は、復号部２７２により復号された第１の情報および第２の情報において、両者の情報に含まれる識別情報が一致するか否かを判定する。すなわち、判定部２８２は、チケット発券装置１００により発券されたチケットが、自装置であるチケット検札装置２００に挿入されたか否かを判定する。これによりチケットの真偽を判定する。
【００９７】
通信制御部２７８は、識別情報が一致しない場合、不正やエラーを示す警告情報を外部に通知するように通信部２０２を制御する制御信号を生成し、生成した制御信号を通信部２０２に出力する。例えば、通信部２０２は、チケット真偽判定システム１を管理する管理者に警告情報を通知する。
【００９８】
搬送制御部２７４は、識別情報が一致する場合、位置Ｇ１２に搬送したチケットＴＫを、位置Ｇ１３に搬送するように搬送路ベルト２５４を駆動させる制御信号を生成し、生成した制御信号を搬送部２５０に出力する。位置Ｇ１２は、印刷部２４０がチケットＴＫの画像の印刷領域に画像を印刷することが可能な位置である。これにより、搬送部２５０は、位置Ｇ１２に搬送したチケットＴＫを位置Ｇ１３に搬送する。
【００９９】
印刷制御部２７６は、位置Ｇ１２のチケットＴＫに、回収日時や当該チケットＴＫの識別情報が使用済みである旨の情報等を画像（或いは文字）として印刷するように印刷部２４０を制御する制御信号を生成して、生成した制御信号を印刷部２４０に出力する。なお当該画像は、上述した第１の画像ＩＭＧ１と第２の画像ＩＭＧ２とは異なる画像であり、以下、「第３の画像ＩＭＧ３」と称する。
【０１００】
搬送制御部２７４は、位置Ｇ１３に搬送したチケットＴＫを回収部２９６（位置Ｇ１４）に搬送するように搬送路ベルト２５４を駆動させる制御信号を生成し、生成した制御信号を搬送部２５０に出力する。また、この際、搬送制御部２７４は、ストッパー２５６を開状態にさせる制御信号を生成し、生成した制御信号を搬送部２５０に出力する。これにより、搬送部２５０は、位置Ｇ１３に搬送したチケットＴＫを回収部２９６（位置Ｇ１４）に搬送する。この結果、チケットＴＫは、回収部２９６に回収される。以上の動作によって、チケット検札装置２００は、チケットＴＫの検札を行う。
【０１０１】
図１６は、一実施形態のチケット真偽判定システム１において、チケットＴＫに印刷される画像および文字の一例を示す図である。図示の例において、タイミングＡの時点では、チケットＴＫに第１の画像ＩＭＧ１のみが印刷されている。タイミングＡは、例えば、チケット発券装置１００におけるチケットスタッカー１６０にチケットＴＫが格納されているときである。
【０１０２】
また、タイミングＢの時点では、チケットＴＫに第１の画像ＩＭＧ１と、文字ＣＨＡＲとが印刷されている。タイミングＢは、チケット発券装置１００において、車両が検出される前に行われる印刷動作の直後である。上記タイミングＢにおいて、チケットＴＫには、例えば、付加情報のうち、車両のナンバープレート、車両の種類（車種）、チケットを発券する日時等の車両が検出される度に変更される情報を含まないものが文字ＣＨＡＲとして印刷される。
【０１０３】
また、タイミングＣの時点では、チケットＴＫに第１の画像ＩＭＧ１と、文字ＣＨＡＲと、第２の画像ＩＭＧ２とが印刷されている。タイミングＣは、チケット発券装置１００において、車両が検出された際に行われる印刷動作の直後である。上記タイミングＣにおいて、チケットＴＫには、例えば、タイミングＢにおいて印刷された文字ＣＨＡＲの他に、車両のナンバープレート、車両の種類（車種）、チケットを発券する日時等の付加情報が文字ＣＨＡＲとして印刷される。
【０１０４】
また、タイミングＤの時点では、チケットＴＫに第１の画像ＩＭＧ１と、文字ＣＨＡＲと、第２の画像ＩＭＧ２と、回収マークＭとが印刷されている。タイミングＤは、チケット発券装置１００において、第２の画像ＩＭＧ２が正常に印刷できなかった場合に行われる印刷動作の直後である。
【０１０５】
また、タイミングＥの時点では、チケットＴＫに第１の画像ＩＭＧ１と、文字ＣＨＡＲと、第２の画像ＩＭＧ２と、回収マークＭと、回収日時や当該チケットＴＫの識別情報が使用済みである旨の情報を示す第３の画像ＩＭＧ３とが印刷されている。タイミングＥは、チケット検札装置２００において、運転者が挿入したチケットＴＫに異常がない場合に行われる印刷動作の直後である。図示の例の場合、回収日時や当該チケットＴＫの識別情報が使用済みである旨の情報を示す文字は、回収日時を示す「２０１５年０１月０１日、１４時３０分」と、チケット検札装置２００に割り当てられる識別情報を示す「△△事業所、出口」と、当該チケットＴＫの識別情報が使用済みになったことを示す「回収」とを含む。
【０１０６】
図１７は、判定部２８２の判定結果と真偽パターンとの対応関係の一例を示す図である。判定部２８２は、例えば、図１７に記載されたケース番号に応じて、チケットＴＫの不正使用や偽造等を判定する。
【０１０７】
図１７の例において、ケースＳ１は、チケット検札装置２００において、第１の画像ＩＭＧ１を第１の公開キーにより復号できず、且つ第２の画像ＩＭＧ２を第２の公開キーにより復号できなかった場合を示す。判定部２８２は、ケースＳ１に該当する判定を行った場合、当該チケットＴＫを偽造されたものであると判定する。
【０１０８】
ケースＳ１のような判定結果の場合、通信部２０２は、チケット真偽判定システム１の管理者に、当該チケットＴＫを使用した車両を通行不可にさせるような警告情報を通知する。また、通信部２０２は、運用上でとり得る不正防止の対策に関する情報を、上述した管理者に通知してもよい。例えば、通信部２０２は、上述した対策を行わなくてもよい旨の示す「対策不可」のような通知を管理者に行う。
【０１０９】
また、ケースＳ２は、チケット検札装置２００において、第１の画像ＩＭＧ１を第１の公開キーにより復号できず、且つ第２の画像ＩＭＧ２を第２の公開キーにより復号できた場合を示す。判定部２８２は、ケースＳ２に該当する判定を行った場合、チケットＴＫに他のチケットＴＫからコピーした第２の画像ＩＭＧ２が印刷されていると判定し、当該チケットＴＫを偽造されたものであると判定する。
【０１１０】
ケースＳ２のような判定結果の場合、通信部２０２は、チケット真偽判定システム１の管理者に、当該チケットＴＫを使用した車両を通行不可にさせるような警告情報を通知する。また、通信部２０２は、上述した警告情報の通知とともに「対策不可」の通知を管理者に行ってもよい。
【０１１１】
また、ケースＳ３は、チケット検札装置２００において、第１の画像ＩＭＧ１を第１の公開キーにより復号でき、且つ第２の画像ＩＭＧ２を第２の公開キーにより復号できなかった場合を示す。判定部２８２は、ケースＳ３に該当する判定を行った場合、チケット発券装置１００のチケットスタッカー１６０に予め格納するチケットＴＫが外部に流出し、流出したチケットＴＫに対して、第２の秘密キーにより暗号化した第２の画像ＩＭＧ２と異なる画像が印刷されていると判定する。この結果、判定部２８２は、当該チケットＴＫを偽造されたものであると判定する。
【０１１２】
ケースＳ３のような判定結果の場合、通信部２０２は、チケット真偽判定システム１の管理者に、当該チケットＴＫを使用した車両を通行不可にさせるような警告情報を通知する。また、通信部２０２は、チケットの流出方法の調査や流出再発防止等の実施を促すような通知を管理者に行ってもよい。
【０１１３】
また、ケースＳ４は、チケット検札装置２００において、第１の画像ＩＭＧ１を第１の公開キーにより復号でき、且つ第２の画像ＩＭＧ２を第２の公開キーにより復号できた場合であり、さらに復号した第１の情報および第２の情報からそれぞれ抽出した識別情報が一致しない場合を示す。判定部２８２は、ケースＳ４に該当する判定を行った場合、チケット発券装置１００のチケットスタッカー１６０に予め格納するチケットＴＫが外部に流出し、流出したチケットＴＫに他のチケットＴＫからコピーした第２の画像ＩＭＧ２が印刷されていると判定する。この結果、判定部２８２は、当該チケットＴＫを偽造されたものであると判定する。
【０１１４】
ケースＳ４のような判定結果の場合、上述したケースＳ３の場合と同様に、通信部２０２は、チケット真偽判定システム１の管理者に、当該チケットＴＫを使用した車両を通行不可にさせるような警告情報を通知する。また、通信部２０２は、チケットの流出方法の調査や流出再発防止等の実施を促すような通知を管理者に行ってもよい。
【０１１５】
また、判定部２８２は、上述したケースＳ１ないしケースＳ４に該当しない判定を行った場合、当該チケットＴＫを本物であると判定する。
【０１１６】
なお、判定部２８２は、ケースＳ５ないしケースＳ７に該当する判定を行った場合、さらに抽出した識別情報と、記憶部２９０に記憶されている識別情報の使用の有無に関するテーブルとに基づいて、当該チケットＴＫの真偽を判定してもよい。
【０１１７】
ケースＳ５ないしケースＳ７は、チケット検札装置２００において、第１の画像ＩＭＧ１を第１の公開キーにより復号でき、且つ第２の画像ＩＭＧ２を第２の公開キーにより復号できた場合であり、さらに復号した第１の情報および第２の情報からそれぞれ抽出した識別情報が一致する場合を示す。
【０１１８】
図１８は、識別情報の使用の有無に関するテーブルの一例を示す図である。図示の例において、識別情報は、チケット発券装置１００において暗号化される第２の情報と、チケット検札装置２００において復号される第２の情報とに対応付けられている。チケット発券装置１００において暗号化される第２の情報は、例えば、チケット発券装置１００が設けられる料金所の情報と、走行レーンの情報と、チケット発券装置１００が設けられた料金所を車両が通過する度にインクリメントされる番号（通番）と、車両のナンバープレートと、チケットＴＫが発券されたか否かを示す使用状態の情報とを含む。また、チケット検札装置２００において復号される第２の情報は、例えば、チケット検札装置２００が設けられる料金所の情報と、走行レーンの情報と、チケット検札装置２００が設けられた料金所を車両が通過する度にインクリメントされる番号（通番）と、車両のナンバープレートと、チケットＴＫが回収されたか否かを示す使用状態の情報とを含む。
【０１１９】
チケット真偽判定システム１において、例えば、チケット発券装置１００により発券されたチケットＴＫが、チケット検札装置２００において異常なく回収された場合、チケット検札装置２００は、当該チケットＴＫの識別情報に対して使用済みの旨を示す情報を対応付け、対応付けた情報を識別情報の使用の有無に関するテーブルとして記憶部２９０に記憶させる。
【０１２０】
判定部２８２は、ケースＳ５ないしケースＳ７に該当する判定を行った場合、さらにチケット発券装置１００により第２の情報の対応付けが行われず、且つチケット検札装置２００により第２の情報の対応付けが行われたか否かを判定する。例えば、判定部２８２は、チケット発券装置１００により第２の情報の対応付けが行われず、且つチケット検札装置２００により第２の情報の対応付けが行われた場合、使用済みのチケットＴＫが再使用された可能性があると判定し、再使用の可能性のあるチケットＴＫの識別情報をリストアップする。通信部２０２は、チケット真偽判定システム１の管理者に、リストアップされた識別情報を通知する。これによって、管理者は、リストアップされた識別情報を有するチケットＴＫを全て使用不可とするような運用を行うことができる。
【０１２１】
図１９は、一実施形態におけるチケット検札装置２００により行われる処理の一例を示すフローチャートである。チケット検札装置２００は、例えば、チケットＴＫが挿入口２９４に挿入される度に本フローチャートの処理を行う。
【０１２２】
まず、読取部２１０は、挿入口２９４から挿入されたチケットＴＫに第１光源２１２の光を照射することで第１の画像ＩＭＧ１を読み取る（ステップＳ２００）。次に、読取部２１０は、挿入口２９４から挿入されたチケットＴＫに第２光源２１４の光を照射することで第２の画像ＩＭＧ２を読み取る（ステップＳ２０２）。なお、読取部２１０は、ステップＳ２０２の処理を先に、ステップＳ２００の処理を後に行うようにしてもよい。
【０１２３】
判定部２８２は、復号部２７２により第１の画像ＩＭＧ１の画像データから第１の情報が復号されたか否かを判定する（ステップＳ２０４）。判定部２８２は、第１の画像ＩＭＧ１の画像データから第１の情報が復号されない場合（ステップＳ２０４）、挿入口２９４に挿入されたチケットＴＫを偽造されたものであると判定する（ステップＳ２０６）。次に、通信部２０２は、警告情報を外部の装置に通知する（ステップＳ２０８）。
【０１２４】
判定部２８２は、第１の画像ＩＭＧ１の画像データから第１の情報が復号された場合（ステップＳ２０４）、復号部２７２により第２の画像ＩＭＧ２の画像データから第２の情報が復号されたか否かを判定する（ステップＳ２１０）。判定部２８２は、第２の画像ＩＭＧ２の画像データから第２の情報が復号されない場合（ステップＳ２１０；Ｎｏ）、挿入口２９４に挿入されたチケットＴＫを偽造されたものであると判定する（ステップＳ２０６）。次に、通信部２０２は、警告情報を外部の装置に通知する（ステップＳ２０８）。
【０１２５】
判定部２８２は、第２の画像ＩＭＧ２の画像データから第２の情報が復号された場合（ステップＳ２１０；Ｙｅｓ）、第１の情報の識別情報と第２の情報の識別情報とが一致するか否かを判定する（ステップＳ２１２）。判定部２８２は、第１の情報の識別情報と第２の情報の識別情報とが一致しない場合（ステップＳ２１２；Ｎｏ）、挿入口２９４に挿入されたチケットＴＫを偽造されたものであると判定する（ステップＳ２０６）。次に、通信部２０２は、警告情報を外部の装置に通知する（ステップＳ２０８）。
【０１２６】
判定部２８２は、第１の情報の識別情報と第２の情報の識別情報とが一致する場合（ステップＳ２１２；Ｙｅｓ）、当該識別情報が発券済みのチケットＴＫの識別情報と同じか否かを判定する（ステップＳ２１４）。判定部２８２は、当該識別情報が発券済みのチケットＴＫの識別情報と異なる場合（ステップＳ２１４；Ｎｏ）、挿入口２９４に挿入されたチケットＴＫを偽造されたものであると判定する（ステップＳ２０６）。次に、通信部２０２は、警告情報を外部の装置に通知する（ステップＳ２０８）。
【０１２７】
判定部２８２は、当該識別情報が発券済みのチケットＴＫの識別情報と同じ場合（ステップＳ２１４；Ｙｅｓ）、挿入口２９４に挿入されたチケットＴＫを本物であると判定する（ステップＳ２１６）。チケット検札装置２００は、ステップＳ２０８の処理、またはステップＳ２１６の処理を行った後、チケットＴＫを回収部２９６に搬送し回収する（ステップＳ２１８）。これによって、チケット検札装置２００は、本フローチャートの処理を終了する。
【０１２８】
以上説明した少なくとも一つの一実施形態のチケット真偽判定システム１によれば、第１の画像ＩＭＧ１が印刷されたチケットＴＫに赤外領域の波長の光を照射して第１の画像ＩＭＧ１を読み取り、読み取った第１の画像ＩＭＧ１の画像データから第１の情報を復号し、復号した第１の情報と付加情報とを合わせた第２の情報を第２の画像ＩＭＧ２に暗号化し、暗号化した第２の画像ＩＭＧ２を第１の画像ＩＭＧ１の一部または全部に重畳するようにチケットＴＫを熱して印刷する。
【０１２９】
また、第１の画像ＩＭＧ１と対応した赤外領域の波長の光を、チケットＴＫに照射することで、チケットＴＫに印刷された第１の画像ＩＭＧ１から第１の情報を読み取るとともに、第２の画像と対応した可視領域の波長の光をチケットＴＫに照射することで、チケットＴＫに印刷された第２の画像ＩＭＧ２から第２の情報を読み取り、読み取った第１の情報および第２の情報に基づいて、チケットＴＫの真偽を判定する。
【０１３０】
この結果、チケット真偽判定システム１において、異なる波長の光を用いて第１の画像ＩＭＧ１および第２の画像ＩＭＧ２を読み取ることにより、チケットＴＫの真偽の判定精度を向上させることができる。
【０１３１】
また、一実施形態のチケット真偽判定システム１によれば、第１の情報および第２の情報に共通の識別情報を含ませていることにより、チケットＴＫの真偽の判定精度をより向上させることができる。
【０１３２】
また、一実施形態のチケット真偽判定システム１によれば、暗号鍵を用いて第１の情報および第２の情報を画像に暗号化することにより、チケットＴＫの改竄を判定することができる。この結果、チケット真偽判定システム１は、チケットＴＫの真偽の判定精度をより向上させることができる。
【０１３３】
また、一実施形態のチケット真偽判定システム１によれば、使用済みのチケットＴＫに割り当てられた識別情報を記憶しておくことで、チケットＴＫの不正使用を判定することができる。この結果、チケット真偽判定システム１は、チケットＴＫの真偽の判定精度をより向上させることができる。
また、何らかの方法で偽造チケットが作られた場合でも、識別情報を管理することで、偽造チケットの複製元のチケットＴＫの識別情報を使用禁止にすることができる。この結果、チケット真偽判定システム１は、偽造チケットの作成にともなうメリットを低下させることができ、偽造行為を抑制することができる。
【０１３４】
また、一実施形態のチケット発券装置１００によれば、チケットＴＫ上に光の吸収波長の異なる第１の画像ＩＭＧ１および第２の画像ＩＭＧ２を重畳して印刷することで、第１の情報および第２の情報の読み取りを難しくさせることができる。この結果、チケット発券装置１００は、チケットＴＫの偽造を防止することができる。
【０１３５】
また、一実施形態のチケット真偽判定システム１によれば、第１の画像ＩＭＧ１が印刷されるチケットＴＫの表面（感熱層１４）がコート層になっていることにより、例えば、インクジェット方式やレーザ方式等よって光の吸収波長の異なる第１の画像ＩＭＧ１および第２の画像ＩＭＧ２を重畳して印刷することを難しくさせることができる。
【０１３６】
また、一実施形態のチケット検札装置２００によれば、波長の異なる２つの光をチケットＴＫに照射した際、同一の受光部２２０を用いてそれぞれの光の反射光を受光することができる。この結果、チケット検札装置２００は、ハードウェア構成を簡素なものにすることができる。
【０１３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３８】
１…チケット真偽判定システム、ＴＫ…チケット、１２…紙層、１４…感熱層、１６…ロイコ染料、１８…顕色剤、１００…チケット発券装置、１０２…通信部、１０４…車両検出部、１０６…読取部、１０８…印刷部、１０９…感熱ヘッド、１１０…搬送部、１３０…制御部、１３２…復号部、１３４…暗号部、１３６…搬送制御部、１３８…印刷制御部、１４０…通信制御部、１４２…判定部、１５０…記憶部、１６０…チケットスタッカー、１７０…排出口、１８０…回収部、２００…チケット検札装置、２０２…通信部、２０４…車両検出部、２１０…読取部、２１２…第１光源、２１４…第２光源、２２０…受光部、２２１…レンズ、２２２…プリズム、２２３…近赤外光透過フィルタ、２２４…近赤外光受光素子、２２５…可視光透過フィルタ、２２６…可視光受光素子、２３０…増幅部、２３２…ＡＤ／ＤＡ変換部、２３４…エンコード部、２４０…印刷部、２５０…搬送部、２７０…制御部、２７２…復号部、２７４…搬送制御部、２７６…印刷制御部、２７８…通信制御部、２８０…光源切替部、２８２…判定部、２９０…記憶部、２９４…挿入口、２９６…回収部、ＩＭＧ１…第１の画像、ＩＭＧ２…第２の画像
【図１】
0006346103.tif 000002
【図２】
0006346103.tif 000003
【図３】
0006346103.tif 000004
【図４】
0006346103.tif 000005
【図５】
0006346103.tif 000006
【図６】
0006346103.tif 000007
【図７】
0006346103.tif 000008
【図８】
0006346103.tif 000009
【図９】
0006346103.tif 000010
【図１０】
0006346103.tif 000011
【図１１】
0006346103.tif 000012
【図１２】
0006346103.tif 000013
【図１３】
0006346103.tif 000014
【図１４】
0006346103.tif 000015
【図１５】
0006346103.tif 000016
【図１６】
0006346103.tif 000017
【図１７】
0006346103.tif 000018
【図１８】
0006346103.tif 000019
【図１９】
0006346103.tif 000020